(57)【特許請求の範囲】
【請求項１】
光ファイバーの接続に使用するための光成端箱に設けられ、光ファイバーコードのコネクタを接続するためのアダプタが設けられた配線支持具において、平板状の基部の両側縁を折曲して垂片を形成し、一方の前記垂片に複数の前記アダプタを並設し、他方の前記垂片に前記光ファイバーコードを固定するための複数の支持片を並設し、該支持片には前記光ファイバーコードを締結する締結具の締結部を形成し、第１の光ファイバーコードと第２の光ファイバーコードとを接続するに際して、前記第１の光ファイバーコードの先端のコネクタを前記一方の垂片に設けられた前記アダプタの内側方向に向けられた接続口に接続するとともに前記第１の光ファイバーコードを前記他方の垂片に形成された支持片の上に載置して締結具により締結し、前記第２の光ファイバーコードの先端のコネクタを前記一方の垂片に設けられた前記アダプタの外側方向に向けられた接続口に接続することを特徴とする配線支持具。
【請求項２】
前記配線支持具の両方の垂片に前記アダプタを並設するとともに前記支持片を設け、該支持片には前記光ファイバーコードを締結する締結部を形成し、第１の光ファイバーコードと第２の光ファイバーコードを接続するに際して、前記第１の光ファイバーコードの先端のコネクタを前記一方の垂片に設けられた前記アダプタの内側方向に向けられた接続口に接続するとともに前記第１の光ファイバーコードを前記他方の垂片に形成された前記支持片の上に載置して締結具により締結し、前記第２の光ファイバーコードの先端のコネクタを前記他方の垂片に設けられた前記アダプタの内側方向に向けられた接続口に接続するとともに前記第２の光ファイバーコードを前記一方の垂片に形成された前記支持片の上に載置して締結具により締結し、更に第３の光ファイバーコードの両端のコネクタのうち一方のコネクタを前記一方の垂片に設けられた前記アダプタの外側方向に向けられた接続口に接続するとともに他方のコネクタを前記他方の垂片に設けられた前記アダプタの外側方向に向けられた接続口に接続することを特徴とする請求項１に記載の配線支持具。
【発明の詳細な説明】
【０００１】
【産業上の利用分野】
本発明は、光ファイバーの接続に使用するための光成端箱に設けられ、光ファイバーコードを連結するためのアダプタを保持する配線支持具の構造に関する。
【０００２】
【従来の技術】
従来、配線支持具は特開昭６１−２４３４０８号公報に記載されるように、配線支持具（１１）に複数の切欠（１３）を形成し、光ファイバーコード（１６）に止め具（１４）を装着させて、この止め具（１４）を切欠（１３）に嵌合させて光ファイバーコード（１６）を固定している。また、光ファイバーコード（１６）の先端のコネクタ（１９）は配線支持具（１１）とは別の位置に設けられたアダプタ（２０）に接続している。
【０００３】
【発明が解決しようとする課題】
しかしながら、光ファイバーコードを固定する部材とアダプタを保持する部材とを別個に設けているため、部材の管理が煩雑になるとともに製造コストが高くなり、また、部材を別個に設置するために設置作業に時間がかかるとともに、広いスペースが必要になるという欠点があった。
【０００４】
【課題を解決するための手段】
上記従来の配線支持具の問題点に鑑み、本発明の目的は、光ファイバーコードの固定と連結を一つの部材で行うことができ、また、部材の配置が省スペースで行うことができ、設置作業に時間がかからず、部材の管理が楽になり、製造コストを低減する配線支持具を提供するもので、その構造は、光ファイバーの接続に使用するための光成端箱に設けられ、光ファイバーコードのコネクタを接続するためのアダプタが設けられた配線支持具において、平板状の基部の両側縁を折曲して垂片を形成し、一方の垂片に複数のアダプタを並設し、他方の垂片に光ファイバーコードを固定するための複数の支持片を並設し、支持片には光ファイバーコードを締結する締結具の締結部を形成し、第１の光ファイバーコードと第２の光ファイバーコードとを接続するに際して、第１の光ファイバーコードの先端のコネクタを一方の垂片に設けられたアダプタの内側方向に向けられた接続口に接続するとともに第１の光ファイバーコードを他方の垂片に形成された支持片の上に載置して締結具により締結し、第２の光ファイバーコードの先端のコネクタを一方の垂片に設けられたアダプタの外側方向に向けられた接続口に接続することである。
【０００５】
また、配線支持具の両方の垂片にアダプタを並設するとともに支持片を設け、支持片には光ファイバーコードを締結する締結部を形成し、第１の光ファイバーコードと第２の光ファイバーコードを接続するに際して、第１の光ファイバーコードの先端のコネクタを一方の垂片に設けられたアダプタの内側方向に向けられた接続口に接続するとともに第１の光ファイバーコードを他方の垂片に形成された支持片の上に載置して締結具により締結し、第２の光ファイバーコードの先端のコネクタを他方の垂片に設けられたアダプタの内側方向に向けられた接続口に接続するとともに第２の光ファイバーコードを一方の垂片に形成された支持片の上に載置して締結具により締結し、更に第３の光ファイバーコードの両端のコネクタのうち一方のコネクタを一方の垂片に設けられたアダプタの外側方向に向けられた接続口に接続するとともに他方のコネクタを他方の垂片に設けられたアダプタの外側方向に向けられた接続口に接続することである。
【０００６】
【発明の実施の形態】
請求項１に記載の配線支持具によれば、光ファイバーの接続に使用するための光成端箱に設けられ、光ファイバーコードのコネクタを接続するためのアダプタが設けられた配線支持具において、平板状の基部の両側縁を折曲して垂片を形成し、一方の垂片に複数のアダプタを並設し、他方の垂片に光ファイバーコードを固定するための複数の支持片を並設し、支持片に光ファイバーコードを締結する締結具の締結部を形成し、第１の光ファイバーコードと第２の光ファイバーコードとを接続するに際して、第１の光ファイバーコードの先端のコネクタを一方の垂片に設けられたアダプタの内側方向に向けられた接続口に接続するとともに第１の光ファイバーコードを他方の垂片に形成された支持片の上に載置して締結具により締結し、第２の光ファイバーコードの先端のコネクタを一方の垂片に設けられたアダプタの外側方向に向けられた接続口に接続することにより、光ファイバーコードの固定と連結を一つの部材で行うことができ、また、部材の配置が省スペースで行うことができ、設置作業に時間がかからず、製造コストを低減する。
【０００７】
請求項２に記載の配線支持具によれば、配線支持具の両方の垂片にアダプタを並設するとともに支持片を設け、支持片には光ファイバーコードを締結する締結部を形成し、第１の光ファイバーコードと第２の光ファイバーコードを接続するに際して、第１の光ファイバーコードの先端のコネクタを一方の垂片に設けられたアダプタの内側方向に向けられた接続口に接続するとともに第１の光ファイバーコードを他方の垂片に形成された支持片の上に載置して締結具により締結し、第２の光ファイバーコードの先端のコネクタを他方の垂片に設けられたアダプタの内側方向に向けられた接続口に接続するとともに第２の光ファイバーコードを一方の垂片に形成された支持片の上に載置して締結具により締結し、更に第３の光ファイバーコードの両端のコネクタのうち一方のコネクタを一方の垂片に設けられたアダプタの外側方向に向けられた接続口に接続するとともに他方のコネクタを他方の垂片に設けられたアダプタの外側方向に向けられた接続口に接続することにより、一方の垂片と他方の垂片とでアダプタの種類を変えて光ファイバーコードのコネクタを変換することができ、また、省スペースで多数の光ファイバーを保持することができる。
【０００８】
【実施例】
本発明に係る配線支持具の第一実施例を図１及び図２の添付図面に基づいて説明する。
【０００９】
配線支持具１は、光ファイバー２を接続するための光成端箱３に設けられ、平板状の基部４の両側端縁を折曲して垂片５ａ，５ｂが形成されている。
【００１０】
一方の垂片５ａには光ファイバーコード２の先端に取り付けられたコネクタ６を接続するための複数のアダプタ７，７，７，７が適宜間隔を設けて幅方向に並設されている。
【００１１】
他方の垂片５ｂには側端縁に光ファイバーコード２を固定するための複数の支持片８，８，８，８が垂片５ｂと略直角に外側方向に向けて幅方向に適宜間隔を設けて並設されている。支持片８には光ファイバーコード２を締結するための締結具９が抜けないように窪んだ締結部１０を形成している。
【００１２】
配線支持具１は螺子１１，１１等の固定手段により光成端箱３に設置される。光成端箱３に入線された第１の光ファイバーコード２ａは先端のコネクタ６を配線支持具１のアダプタ７の内側方向に向けられた接続口１２に接続する。そして第１の光ファイバーコード２ａを支持片８の上に載置して締結具９により支持片８の締結部１０に締結して固定する。また、配線支持具１のアダプタ７の外側方向に向けられた接続口１２に別の第２の光ファイバーコード２ｂのコネクタ６を接続することにより光ファイバーコード２ａ，２ｂを連結する。
【００１３】
尚、本実施例において、支持片８を外側方向に向けて形成したが、内側方向に向けて形成しても良く、また支持片８の形状に限定はない。
【００１４】
本発明に係る配線支持具の第二実施例を図３及び図４の添付図面に基づいて説明する。
【００１５】
配線支持具２１は、光ファイバー２２を接続するための光成端箱２３に設けられ、平板状の基部２４の両側端縁を折曲して垂片２５ａ，２５ｂが形成されている。
【００１６】
両方の垂片２５ａ，２５ｂには側端縁に光ファイバーコード２２を固定するための複数の支持片２６，２６，２６，２６が垂片２５ａ，２５ｂと略直角に外側方向に向けて幅方向に適宜間隔を設けて並設されている。支持片２６は光ファイバーコード２２を締結するための締結具２７が抜けないように窪んだ締結部２８を形成している。また、夫々の支持片２６の略直下の垂片２５ａ，２５ｂには光ファイバーコード２２の先端に取り付けられたコネクタ２９を接続するためのアダプタ３０が設けられている。ここで、例えば、光成端箱２３内で光ファイバーコード２２のコネクタ２９ａ，２９ｂが二種類使われていてコネクタ２９ａ，２９ｂの変換を行う場合は、一方の垂片２５ａと他方の垂片２５ｂとで種類の異なるアダプタ３０ａ，３０ｂを取り付けておく。
【００１７】
配線支持具２１は螺子３１，３１等の固定手段により光成端箱２３に設置される。光成端箱２３に入線された第１の光ファイバーコード２２ａは先端のコネクタ２９ａを一方の垂片２５ａのアダプタ３０ａの内側方向に向けられた接続口３２に接続する。そして第１の光ファイバーコード２２ａを他方の垂片２５ｂの支持片２６の上に載置して締結具２７により支持片２６の締結部２８に締結して固定する。
【００１８】
次に、異なる種類のコネクタ２９ｂが取り付けられた第２の光ファイバーコード２２ｂを他方の垂片２５ｂのアダプタ３０ｂの内側方向に向けられた接続口３２に接続する。そして第２の光ファイバーコード２２ｂを一方の垂片２５ａの支持片２６の上に載置して締結具３１により支持片２６の締結部２８に締結して固定する。
【００１９】
それから、両端に異なる種類のコネクタ２９ａ，２９ｂを取り付けた第３の光ファイバーコード２２ｃの一方のコネクタ２９ａをアダプタ３０ａの外側方向に向けられた接続口３２に接続し、他方のコネクタ２９ｂをアダプタ３０ｂの外側方向に向けられた接続口３２に接続する。これで使用されるコネクタの種類が異なる場合でも接続が可能になる。
【００２０】
尚、本実施例において、垂片毎に種類の異なるアダプタを取り付けたが同じ種類のアダプタを取り付けても良い。
【００２１】
また、本実施例において、支持片２６を外側方向に向けて形成したが、内側方向に向けて形成しても良く、また支持片２６の形状に限定はない。
【００２２】
【発明の効果】
以上のように本発明に係る配線支持具は、光ファイバーの接続に使用するための光成端箱に設けられ、光ファイバーコードのコネクタを接続するためのアダプタが設けられた配線支持具において、平板状の基部の両側縁を折曲して垂片を形成し、一方の垂片に複数のアダプタを並設し、他方の垂片に光ファイバーコードを固定するための複数の支持片を並設し、支持片に光ファイバーコードを締結する締結具の締結部を形成し、第１の光ファイバーコードと第２の光ファイバーコードとを接続するに際して、第１の光ファイバーコードの先端のコネクタを一方の垂片に設けられたアダプタの内側方向に向けられた接続口に接続するとともに第１の光ファイバーコードを他方の垂片に形成された支持片の上に載置して締結具により締結し、第２の光ファイバーコードの先端のコネクタを一方の垂片に設けられたアダプタの外側方向に向けられた接続口に接続することにより、光ファイバーコードの固定と連結を一つの部材で行うことができ、また、部材の配置が省スペースで行うことができ、設置作業に時間がかからず、部材の管理が楽になり、製造コストを低減するという優れた効果を有するものである。
【００２３】
また、配線支持具の両方の垂片にアダプタを並設するとともに支持片を設け、支持片には光ファイバーコードを締結する締結部を形成し、第１の光ファイバーコードと第２の光ファイバーコードを接続するに際して、第１の光ファイバーコードの先端のコネクタを一方の垂片に設けられたアダプタの内側方向に向けられた接続口に接続するとともに第１の光ファイバーコードを他方の垂片に形成された支持片の上に載置して締結具により締結し、第２の光ファイバーコードの先端のコネクタを他方の垂片に設けられたアダプタの内側方向に向けられた接続口に接続するとともに第２の光ファイバーコードを一方の垂片に形成された支持片の上に載置して締結具により締結し、更に第３の光ファイバーコードの両端のコネクタのうち一方のコネクタを一方の垂片に設けられたアダプタの外側方向に向けられた接続口に接続するとともに他方のコネクタを他方の垂片に設けられたアダプタの外側方向に向けられた接続口に接続することにより、一方の垂片と他方の垂片とでアダプタの種類を変えることで光ファイバーコードのコネクタを変換することができ、また、省スペースで多数の光ファイバーを保持することができる。
【図面の簡単な説明】
【図１】  本発明の第一実施例に係る配線支持具を光成端箱に設置した状態を示す正面図である。
【図２】  本発明の第一実施例に係る配線支持具を示し、（ａ）は正面図、（ｂ）は右側面図である。
【図３】  本発明の第二実施例に係る配線支持具を光成端箱に設置した状態を示す正面図である。
【図４】  本発明の第二実施例に係る配線支持具を示し、（ａ）は正面図、（ｂ）は右側面図である。
【符号の説明】
１      配線支持具
２      光ファイバーコード
３      光成端箱
４      基部
５ａ    垂片
５ｂ    垂片
６      コネクタ
７      アダプタ
８      支持片
９      締結具
１０    締結部
１１    螺子
１２    接続口
【図１】
0004107462.tif 000002
【図２】
0004107462.tif 000003
【図３】
0004107462.tif 000004
【図４】
0004107462.tif 000005